(57)【要約】【課題】低コスト化及び軽量化を図ることができる蓄電装置を提供する。【解決手段】蓄電装置１は、複数のバイポーラ電極１０を含んで構成される蓄電セル７が正極集電板１５及び負極集電板１６を介して積層されてなるセルスタック２と、蓄電セル７の積層方向に延在し、正極集電板１５と電気的に接続された正極バスバー４と、蓄電セル７の積層方向に延在し、負極集電板１６と電気的に接続された負極バスバー５とを備え、正極バスバー４の一端には、正極取出端子１８が接続されており、負極バスバー５の一端には、負極取出端子１９が接続されており、正極バスバー４の断面積は、蓄電セル７の積層方向に沿って正極取出端子１８に近づくにつれて大きくなっており、負極バスバー５の断面積は、蓄電セル７の積層方向に沿って負極取出端子１９に近づくにつれて大きくなっている。【選択図】図１
2019149359.tif 000002
【特許請求の範囲】
【請求項１】
複数の電極を含んで構成される蓄電セルが正極集電板及び負極集電板を介して積層されてなるセルスタックと、
前記蓄電セルの積層方向に延在し、前記正極集電板と電気的に接続された正極バスバーと、
前記蓄電セルの積層方向に延在し、前記負極集電板と電気的に接続された負極バスバーとを備え、
前記正極バスバーの一端には、正極取出端子が接続されており、
前記負極バスバーの一端には、負極取出端子が接続されており、
前記正極バスバーの断面積は、前記蓄電セルの積層方向に沿って前記正極取出端子に近づくにつれて大きくなっており、
前記負極バスバーの断面積は、前記蓄電セルの積層方向に沿って前記負極取出端子に近づくにつれて大きくなっている蓄電装置。
【請求項２】
前記正極バスバー及び前記負極バスバーは、前記セルスタックに対して前記蓄電セルの積層方向に垂直な第１方向の同じ側において前記積層方向及び前記第１方向に垂直な第２方向に並んで配置されている請求項１記載の蓄電装置。
【請求項３】
前記正極取出端子は、前記セルスタックにおける前記蓄電セルの積層方向の一端側に配置されており、
前記負極取出端子は、前記セルスタックにおける前記蓄電セルの積層方向の他端側に配置されており、
前記正極バスバーの断面積は、前記セルスタックにおける前記蓄電セルの積層方向の他端側から一端側に向かって大きくなっており、
前記負極バスバーの断面積は、前記セルスタックにおける前記蓄電セルの積層方向の一端側から他端側に向かって大きくなっている請求項２記載の蓄電装置。
【請求項４】
前記正極バスバー及び前記負極バスバーは、何れも前記蓄電セルの積層方向に対して傾斜した傾斜縁を有し、
前記正極バスバー及び前記負極バスバーの前記傾斜縁同士は、互いに平行となるように向き合っている請求項３記載の蓄電装置。
【請求項５】
前記正極バスバー及び前記負極バスバーの数は、何れも１つであり、
前記正極バスバーは、前記第２方向の一方側に配置されており、
前記負極バスバーは、前記第２方向の他方側に配置されている請求項２〜４の何れか一項記載の蓄電装置。
【請求項６】
前記正極バスバーの幅は、前記蓄電セルの積層方向に沿って前記正極取出端子に近づくにつれて大きくなっており、
前記負極バスバーの幅は、前記蓄電セルの積層方向に沿って前記負極取出端子に近づくにつれて大きくなっている請求項１〜５の何れか一項記載の蓄電装置。
【請求項７】
前記正極バスバーの断面積は、前記蓄電セルの積層方向に沿って前記正極取出端子に近づくにつれて連続的に大きくなっており、
前記負極バスバーの断面積は、前記蓄電セルの積層方向に沿って前記負極取出端子に近づくにつれて連続的に大きくなっている請求項１〜６の何れか一項記載の蓄電装置。
【発明の詳細な説明】
【技術分野】
【０００１】
本発明は、蓄電装置に関する。
【背景技術】
【０００２】
従来の蓄電装置としては、例えば特許文献１に記載されている電池ユニットが知られている。特許文献１に記載の電池ユニットは、複数の電池要素を積層した複数のバイポーラ電池と、バイポーラ電池を挟むようにバイポーラ電池の両側に配置された集電体とを備えている。バイポーラ電池の一方側に配置された集電体は、正極集電電極として機能し、バイポーラ電池の積層方向に延在する正極接続導体と電気的に接続されている。バイポーラ電池の他方側に配置された集電体は、負極集電電極として機能し、バイポーラ電池の積層方向に延在する負極接続導体と電気的に接続されている。
【先行技術文献】
【特許文献】
【０００３】
【特許文献１】特開２００９−１１７１０５号公報
【発明の概要】
【発明が解決しようとする課題】
【０００４】
上記従来技術においては、正極接続導体（正極バスバー）及び負極接続導体（負極バスバー）は、バイポーラ電池の積層方向に延在している。このため、正極バスバー及び負極バスバーを流れる電流は、取出端子に近づくにつれて大きくなる。この場合、正極バスバー及び負極バスバーにおいて電流値が小さい部分の断面積が大きいと、電流密度が低くなるため、正極バスバー及び負極バスバーとしては無駄な領域となる。このため、正極バスバー及び負極バスバーの材料コスト及び重量が余計に増えることになる。従って、蓄電装置のコストアップ及び重量アップにつながる。
【０００５】
本発明の目的は、低コスト化及び軽量化を図ることができる蓄電装置を提供することである。
【課題を解決するための手段】
【０００６】
本発明の一態様に係る蓄電装置は、複数の電極を含んで構成される蓄電セルが正極集電板及び負極集電板を介して積層されてなるセルスタックと、蓄電セルの積層方向に延在し、正極集電板と電気的に接続された正極バスバーと、蓄電セルの積層方向に延在し、負極集電板と電気的に接続された負極バスバーとを備え、正極バスバーの一端には、正極取出端子が接続されており、負極バスバーの一端には、負極取出端子が接続されており、正極バスバーの断面積は、蓄電セルの積層方向に沿って正極取出端子に近づくにつれて大きくなっており、負極バスバーの断面積は、蓄電セルの積層方向に沿って負極取出端子に近づくにつれて大きくなっている。
【０００７】
このような蓄電装置においては、正極バスバーの断面積を蓄電セルの積層方向に沿って正極取出端子に近づくにつれて大きくすることにより、正極バスバーを流れる電流の密度を均一化することができる。また、負極バスバーの断面積を蓄電セルの積層方向に沿って負極取出端子に近づくにつれて大きくすることにより、負極バスバーを流れる電流の密度を均一化することができる。このため、正極バスバー及び負極バスバーとしての無駄な領域が少なくなる。従って、正極バスバー及び負極バスバーの材料コストを削減することができると共に、正極バスバー及び負極バスバーを軽量化することができる。これにより、蓄電装置の低コスト化及び軽量化を図ることができる。
【０００８】
正極バスバー及び負極バスバーは、セルスタックに対して蓄電セルの積層方向に垂直な第１方向の同じ側において積層方向及び第１方向に垂直な第２方向に並んで配置されていてもよい。このような構成では、正極バスバーがセルスタックに対して第１方向の一方側に配置され、負極バスバーがセルスタックに対して第１方向の他方側に配置されている場合に比べて、蓄電装置の第１方向の寸法が小さくなる。これにより、蓄電装置の小型化を図ることができる。
【０００９】
正極取出端子は、セルスタックにおける蓄電セルの積層方向の一端側に配置されており、負極取出端子は、セルスタックにおける蓄電セルの積層方向の他端側に配置されており、正極バスバーの断面積は、セルスタックにおける蓄電セルの積層方向の他端側から一端側に向かって大きくなっており、負極バスバーの断面積は、セルスタックにおける蓄電セルの積層方向の一端側から他端側に向かって大きくなっていてもよい。このような構成では、正極バスバー及び負極バスバーは、各断面積が蓄電セルの積層方向の反対側に向かって大きくなるように配置されることになる。このため、セルスタックに対して第１方向の同じ側において、正極バスバー及び負極バスバーを面積効率良く配置することができる。従って、例えばセルスタックにおける正極バスバー及び負極バスバーの配置面積が限られていても、正極バスバー及び負極バスバーを配置することができる。
【００１０】
正極バスバー及び負極バスバーは、何れも蓄電セルの積層方向に対して傾斜した傾斜縁を有し、正極バスバー及び負極バスバーの傾斜縁同士は、互いに平行となるように向き合っていてもよい。このような構成では、正極バスバーと負極バスバーとの距離が蓄電セルの積層方向に沿って一定になる。従って、正極バスバー及び負極バスバーをより面積効率良く配置することができる。
【００１１】
正極バスバー及び負極バスバーの数は、何れも１つであり、正極バスバーは、第２方向の一方側に配置されており、負極バスバーは、第２方向の他方側に配置されていてもよい。このような構成では、蓄電装置の部品点数を削減することができる。
【００１２】
正極バスバーの幅は、蓄電セルの積層方向に沿って正極取出端子に近づくにつれて大きくなっており、負極バスバーの幅は、蓄電セルの積層方向に沿って負極取出端子に近づくにつれて大きくなっていてもよい。このような構成では、正極バスバーの厚さが蓄電セルの積層方向に沿って等しくても、正極バスバーの断面積が正極取出端子に近づくにつれて大きくなり、負極バスバーの厚さが蓄電セルの積層方向に沿って等しくても、負極バスバーの断面積が負極取出端子に近づくにつれて大きくなる。このように正極バスバー及び負極バスバーの厚さを蓄電セルの積層方向に沿って変えなくて済むため、蓄電セルの積層方向に沿って断面積が変化する正極バスバー及び負極バスバーを容易に作ることができる。
【００１３】
正極バスバーの断面積は、蓄電セルの積層方向に沿って正極取出端子に近づくにつれて連続的に大きくなっており、負極バスバーの断面積は、蓄電セルの積層方向に沿って負極取出端子に近づくにつれて連続的に大きくなっていてもよい。このような構成では、蓄電セルの積層方向に沿って断面積が変化する正極バスバー及び負極バスバーを容易に作ることができる。
【発明の効果】
【００１４】
本発明によれば、蓄電装置の低コスト化及び軽量化を図ることができる。
【図面の簡単な説明】
【００１５】
【図１】本発明の第１実施形態に係る蓄電装置を示す概略斜視図である。
【図２】図１のII−II線断面図である。
【図３】図１のIII−III線断面図である。
【図４】図１に示された蓄電セルを正極集電板及び負極集電板と共に示す斜視図である。
【図５】図４に示された蓄電セルの断面図である。
【図６】比較例としての蓄電装置を示す概略斜視図である。
【図７】本発明の第２実施形態に係る蓄電装置を示す概略斜視図である。
【図８】図７に示された蓄電セルを正極集電板及び負極集電板と共に示す斜視図である。
【図９】図１に示された蓄電装置の変形例を示す概略斜視図である。
【発明を実施するための形態】
【００１６】
以下、本発明の実施形態について、図面を参照して詳細に説明する。なお、図面において、同一または同等の要素には同じ符号を付し、重複する説明を省略する。
【００１７】
図１は、本発明の第１実施形態に係る蓄電装置を示す概略斜視図である。図２は、図１のII−II線断面図である。図３は、図１のIII−III線断面図である。図１〜図３において、本実施形態の蓄電装置１は、例えばフォークリフト、ハイブリッド自動車または電気自動車等の各種車両のバッテリとして用いられる。蓄電装置１は、セルスタック２と、１対のエンドプレート３と、正極バスバー４と、負極バスバー５とを備えている。
【００１８】
セルスタック２は、複数の蓄電セル７を積層することにより構成されている。セルスタック２は、例えば１００体程度の蓄電セル７の集合体である。以下の説明では、蓄電セル７の積層方向をＸ方向とし、蓄電セル７の幅方向をＹ方向とし、蓄電セル７の高さ方向をＺ方向とする。蓄電セル７の高さ方向は、蓄電セル７の積層方向に垂直な第１方向である。蓄電セル７の幅方向は、蓄電セル７の積層方向及び高さ方向に垂直な第２方向である。
【００１９】
蓄電セル７は、扁平な略直方体形状をなす単電池である。蓄電セル７は、例えばニッケル水素二次電池またはリチウムイオン二次電池等の二次電池であってもよく、電気二重層キャパシタであってもよい。また、蓄電セル７は、全固体電池であってもよい。本実施形態では、蓄電セル７がバイポーラ型のリチウムイオン二次電池である場合を例示する。
【００２０】
蓄電セル７は、図４及び図５にも示されるように、電極積層体８と、保持部材９とを有している。電極積層体８は、複数のバイポーラ電極１０がセパレータ１１を介して積層されてなる構造を有している。バイポーラ電極１０は、集電体１２と、この集電体１２の一方面に形成された正極層１３と、集電体１２の他方面に形成された負極層１４とを有している。
【００２１】
集電体１２は、略矩形状を呈するシート状の導電部材である。集電体１２は、例えば金属箔または合金箔である。金属箔としては、例えば銅箔、アルミニウム箔、チタン箔またはニッケル箔が挙げられる。集電体１２が金属箔である場合、機械的強度を確保する観点からアルミニウム箔を用いることが好適である。合金箔としては、例えばステンレス鋼箔または上記金属の合金箔が挙げられる。集電体１２が合金箔またはアルミニウム箔以外の金属箔である場合、集電体１２の表面にアルミニウムが被覆されていてもよい。
【００２２】
正極層１３は、正極活物質と電解質とを含んでいる。正極活物質は、例えば複合酸化物、金属リチウムまたは硫黄等である。複合酸化物の組成には、例えばマンガン、チタン、ニッケル、コバルト及びアルミニウムの少なくとも１つとリチウムとが含まれる。電解質は、例えば固体電解質、固体高分子電解質またはゲル状電解質である。固体電解質は、ジルコニアまたはβアルミナを含む。固体高分子電解質は、例えばポリエチレンオキシド（ＰＥＯ）、ポリプロピレンオキシド（ＰＰＯ）等のアルキレンオキシド系高分子化合物、若しくはこれらの共重合体を含む。ゲル状電解質は、流動性を完全に若しくはほぼ完全に示さない電解質である。例えば２０℃におけるゲル状電解質の粘度は、０．１Ｐａ・Ｓ以上である。
【００２３】
正極層１３が固体高分子電解質を含む場合、正極層１３は、例えばイオン伝導性を高めるための支持塩、電子伝導性を高めるための導電助剤、粘度調整溶媒及び重合開始剤の少なくとも何れかを含む。支持塩は、アルキレンオキシド系高分子化合物に容易に溶解可能な観点から、例えばリチウム塩である。リチウム塩は、例えばＬｉＢＦ４、ＬｉＰＦ６、ＬｉＮ（ＳＯ２ＣＦ３）２、ＬｉＮ（ＳＯ２Ｃ２Ｆ５）２、若しくはこれらの混合物である。導電助剤は、例えばアセチレンブラック、カーボンブラックまたはグラファイト等である。粘度調整溶媒は、例えばＮ−メチル−２−ピロリドン（ＮＭＰ）等である。重合開始剤は、例えばアゾビスイソブチロニトリル（ＡＩＢＮ）等である。
【００２４】
負極層１４は、負極活物質と電解質とを含んでいる。負極活物質は、例えば黒鉛、高配向性グラファイト、メソカーボンマイクロビーズ、ハードカーボンまたはソフトカーボン等のカーボン、リチウム、ナトリウム等のアルカリ金属、金属化合物、ＳｉＯｘ（０．５≦ｘ≦１．５）等の金属酸化物またはホウ素添加炭素等である。負極層１４の電解質は、例えば正極層１３に含まれる電解質と同様である。
【００２５】
セパレータ１１は、隣り合うバイポーラ電極１０同士を隔てる層状部材であり、略矩形状を呈している。セパレータ１１は、正極層１３及び負極層１４に含まれる電解質によって構成されている。セパレータ１１が固体電解質によって構成される場合、セパレータ１１は、略矩形の板状を呈していてもよい。
【００２６】
電極積層体８の積層方向の両端には、集電体１２がそれぞれ設けられている。電極積層体８の一端（図５の紙面右側の端）に位置する集電体１２には、正極層１３のみが形成されている。電極積層体８の他端（図５の紙面左側の端）に位置する集電体１２には、負極層１４のみが形成されている。
【００２７】
保持部材９は、電極積層体８を保持する部材である。保持部材９は、電極積層体８の幅方向の両側面、頂面及び底面を囲む矩形枠状を呈している。保持部材９は、例えば絶縁性及び耐熱性を有する樹脂により形成されている。保持部材９を形成する樹脂としては、例えばポリイミド、ポリプロピレン（ＰＰ）、ポリフェニレンサルファイド（ＰＰＳ）、ナイロン６６（ＰＡ６６）等が挙げられる。保持部材９は、バイポーラ電極１０を封止し、バイポーラ電極１０同士の短絡を防止する機能を合わせ持っている。
【００２８】
蓄電セル７同士は、正極集電板１５及び負極集電板１６を介して積層されている。正極集電板１５及び負極集電板１６は、蓄電セル７の主面と略同形の長方形状を呈する金属板である。正極集電板１５及び負極集電板１６は、例えば集電体１２と同じ金属材料で形成されている。正極集電板１５及び負極集電板１６は、蓄電セル７を積層方向に挟むように配置されている。正極集電板１５は、正極層１３のみが形成された集電体１２の外側面に接触している。負極集電板１６は、負極層１４のみが形成された集電体１２の外側面に接触している。
【００２９】
正極集電板１５は、正極バスバー４と接合される正極タブ１５ａを有している。正極タブ１５ａは、蓄電セル７の幅方向の一方側において電極積層体８に対して蓄電セル７の高さ方向に突出している。正極タブ１５ａの先端側は、蓄電セル７の外側に屈曲している。各正極集電板１５の正極タブ１５ａの屈曲部分は、蓄電セル７の積層方向の一方側を向いて揃っている。そして、各正極集電板１５の正極タブ１５ａの屈曲部分に対して正極バスバー４が溶接等により接合されている（図２参照）。なお、各正極集電板１５の正極タブ１５ａの幅は等しい。
【００３０】
負極集電板１６は、負極バスバー５と接合される負極タブ１６ａを有している。負極タブ１６ａは、蓄電セル７の幅方向の他方側において電極積層体８に対して蓄電セル７の高さ方向に突出している。負極タブ１６ａは、正極タブ１５ａと蓄電セル７の高さ方向の同じ側に突出している。負極タブ１６ａの先端側は、蓄電セル７の外側に屈曲している。負極タブ１６ａの屈曲方向は、正極タブ１５ａの屈曲方向と逆向きとなっている。各負極集電板１６の負極タブ１６ａの屈曲部分は、蓄電セル７の積層方向の他方側を向いて揃っている。そして、各負極集電板１６の負極タブ１６ａの屈曲部分に対して負極バスバー５が溶接等により接合されている（図３参照）。なお、各負極集電板１６の負極タブ１６ａの幅は等しい。
【００３１】
エンドプレート３は、蓄電セル７の積層方向への位置ずれを規制する拘束部材である。エンドプレート３は、セルスタック２における蓄電セル７の積層方向の両側に配置されている。エンドプレート３は、側面視Ｌ字状を呈している。エンドプレート３は、例えば金属または合金により形成されている。各エンドプレート３同士は、ボルト及びナット等の締結部材により連結されていてもよい。この場合には、締結部材の締め付け力によって、エンドプレート３を介して蓄電セル７の積層方向に沿った拘束荷重がセルスタック２に付加される。
【００３２】
セルスタック２における蓄電セル７の積層方向の両端に位置する蓄電セル７とエンドプレート３との間には、絶縁緩衝部材１７がそれぞれ配置されている。絶縁緩衝部材１７は、蓄電セル７の膨張を吸収する機能を有する部材である。絶縁緩衝部材１７は、例えば蓄電セル７の積層方向から見て蓄電セル７の主面と同程度の面積を有する直方体形状を呈している。絶縁緩衝部材１７の形成材料としては、例えばＰＰ、ＰＰＳまたはＰＡ６６等が挙げられる。
【００３３】
正極バスバー４及び負極バスバー５は、図１に示されるように、セルスタック２に対して蓄電セル７の高さ方向の同じ側において蓄電セル７の幅方向に並んで配置されている。具体的には、正極バスバー４は、セルスタック２の頂面において蓄電セル７の幅方向の一方側に配置されている。負極バスバー５は、セルスタック２の頂面において蓄電セル７の幅方向の他方側に正極バスバー４と間隔をもって配置されている。正極バスバー４は、各正極集電板１５と電気的に接続されている。負極バスバー５は、各負極集電板１６と電気的に接続されている。正極バスバー４及び負極バスバー５は、蓄電セル７の積層方向に延在している。
【００３４】
正極バスバー４及び負極バスバー５は、平面視で直角三角形または略直角三角形の板状を呈している。正極バスバー４及び負極バスバー５は、蓄電セル７の積層方向において同じ向きになるように配置されている。正極バスバー４は、蓄電セル７の積層方向に対して傾斜した傾斜縁４ａを有している。負極バスバー５は、蓄電セル７の積層方向に対して傾斜した傾斜縁５ａを有している。
【００３５】
正極バスバー４及び負極バスバー５の形成材料は、例えば銅、アルミニウム、チタンまたはニッケル等の金属であってもよく、ステンレス鋼、或いは前述の金属の合金等であってもよい。
【００３６】
正極バスバー４の長手方向の一端には、正極取出端子１８が接続されている。負極バスバー５の長手方向の一端には、負極取出端子１９が接続されている。正極取出端子１８及び負極取出端子１９は、セルスタック２における蓄電セル７の積層方向の同じ側に配置されている。正極取出端子１８及び負極取出端子１９は、セルスタック２を外部装置に接続する端子である。
【００３７】
正極バスバー４の幅は、蓄電セル７の積層方向に沿って正極取出端子１８に近づくにつれて連続的に大きくなっている。正極バスバー４の厚さは、蓄電セル７の積層方向に沿って等しい。これにより、正極バスバー４の断面積は、蓄電セル７の積層方向に沿って正極取出端子１８に近づくにつれて連続的に大きくなっている。なお、ここでいう断面積は、蓄電セル７の積層方向に垂直な方向で切った断面積である。
【００３８】
負極バスバー５の幅は、蓄電セル７の積層方向に沿って負極取出端子１９に近づくにつれて連続的に大きくなっている。負極バスバー５の厚さは、蓄電セル７の積層方向に沿って等しい。これにより、負極バスバー５の断面積は、蓄電セル７の積層方向に沿って負極取出端子１９に近づくにつれて連続的に大きくなっている。なお、ここでいう断面積も、蓄電セル７の積層方向に垂直な方向で切った断面積である。
【００３９】
図６は、比較例としての蓄電装置を示す概略斜視図である。図６において、本比較例の蓄電装置５０は、正極バスバー５１及び負極バスバー５２を備えている。正極バスバー５１及び負極バスバー５２は、矩形の板状を呈し、蓄電セル７の積層方向に一定の幅をもって延在している。このため、正極バスバー５１及び負極バスバー５２の断面積は、蓄電セル７の積層方向に沿って一定である。正極バスバー５１の長手方向の一端には、正極取出端子１８が接続されている。負極バスバー５２の長手方向の一端には、負極取出端子１９が接続されている。
【００４０】
このような蓄電装置５０において、正極バスバー５１を流れる電流は、正極取出端子１８に近づくにつれて大きくなり、負極バスバー５２を流れる電流は、負極取出端子１９に近づくにつれて大きくなる。正極バスバー５１及び負極バスバー５２の断面積は、上述したように蓄電セル７の積層方向に沿って一定である。このため、正極バスバー５１及び負極バスバー５２を流れる電流の密度は、蓄電セル７の積層方向に沿って異なる。具体的には、正極バスバー５１を流れる電流の密度は、正極取出端子１８から離れるにつれて小さくなり、負極バスバー５２を流れる電流の密度は、負極取出端子１９から離れるにつれて小さくなる。従って、正極取出端子１８及び負極取出端子１９から離れるにつれて、正極バスバー５１及び負極バスバー５２としての無駄な領域が増えることになる。
【００４１】
そのような不具合に対し、本実施形態では、正極バスバー４の断面積は蓄電セル７の積層方向に沿って正極取出端子１８に近づくにつれて大きくなっているので、正極バスバー４を流れる電流の密度を均一化することができる。また、負極バスバー５の断面積は蓄電セル７の積層方向に沿って負極取出端子１９に近づくにつれて大きくなっているので、負極バスバー５を流れる電流の密度を均一化することができる。このため、正極バスバー４及び負極バスバー５としての無駄な領域が少なくなる。従って、正極バスバー４及び負極バスバー５の材料コストを削減することができると共に、正極バスバー４及び負極バスバー５を軽量化することができる。これにより、蓄電装置１の低コスト化及び軽量化を図ることができる。
【００４２】
また、本実施形態では、正極バスバー４及び負極バスバー５は、セルスタック２に対して蓄電セル７の高さ方向の同じ側において蓄電セル７の幅方向に並んで配置されている。よって、正極バスバー４がセルスタック２に対して蓄電セル７の高さ方向の一方側に配置され、負極バスバー５がセルスタック２に対して蓄電セル７の高さ方向の他方側に配置されている場合に比べて、蓄電装置１の高さ方向の寸法が小さくなる。これにより、蓄電装置１の小型化を図ることができる。
【００４３】
また、本実施形態では、正極バスバー４及び負極バスバー５の数は、何れも１つであり、正極バスバー４は、蓄電セル７の幅方向の一方側に配置されており、負極バスバー５は、蓄電セル７の幅方向の他方側に配置されている。よって、蓄電装置１の部品点数を削減することができる。
【００４４】
また、本実施形態では、正極バスバー４の幅は、蓄電セル７の積層方向に沿って正極取出端子１８に近づくにつれて大きくなっており、負極バスバー５の幅は、蓄電セル７の積層方向に沿って負極取出端子１９に近づくにつれて大きくなっている。よって、正極バスバー４の厚さが蓄電セル７の積層方向に沿って等しくても、正極バスバー４の断面積が正極取出端子１８に近づくにつれて大きくなり、負極バスバー５の厚さが蓄電セル７の積層方向に沿って等しくても、負極バスバー５の断面積が負極取出端子１９に近づくにつれて大きくなる。このように正極バスバー４及び負極バスバー５の厚さを蓄電セル７の積層方向に沿って変えなくて済むため、蓄電セル７の積層方向に沿って断面積が変化する正極バスバー４及び負極バスバー５を容易に作ることができる。
【００４５】
また、本実施形態では、正極バスバー４の断面積は、蓄電セル７の積層方向に沿って正極取出端子１８に近づくにつれて連続的に大きくなっており、負極バスバー５の断面積は、蓄電セル７の積層方向に沿って負極取出端子１９に近づくにつれて連続的に大きくなっている。よって、蓄電セル７の積層方向に沿って断面積が変化する正極バスバー４及び負極バスバー５を更に容易に作ることができる。
【００４６】
図７は、本発明の第２実施形態に係る蓄電装置を示す概略斜視図である。図７において、本実施形態の蓄電装置１は、上記第１実施形態と同様の正極バスバー４及び負極バスバー５を備えている。正極バスバー４には上記の正極取出端子１８が接続され、負極バスバー５には上記の負極取出端子１９が接続されている。
【００４７】
正極取出端子１８は、セルスタック２における蓄電セル７の積層方向の一端側に配置されている。負極取出端子１９は、セルスタック２における蓄電セル７の積層方向の他端側に配置されている。つまり、正極取出端子１８及び負極取出端子１９は、セルスタック２における蓄電セル７の積層方向の反対側に配置されている。
【００４８】
正極バスバー４及び負極バスバー５は、蓄電セル７の積層方向において反対向きになるように配置されている。具体的には、正極バスバー４の幅は、セルスタック２における蓄電セル７の積層方向の他端側（負極取出端子１９側）から一端側（正極取出端子１８側）に向かって大きくなっている。これにより、正極バスバー４の断面積は、セルスタック２における蓄電セル７の積層方向の他端側から一端側に向かって大きくなっている。負極バスバー５の幅は、セルスタック２における蓄電セル７の積層方向の一端側（正極取出端子１８側）から他端側（負極取出端子１９側）に向かって大きくなっている。これにより、負極バスバー５の断面積は、セルスタック２における蓄電セル７の積層方向の一端側から他端側に向かって大きくなっている。
【００４９】
このとき、正極バスバー４及び負極バスバー５は、セルスタック２のＸＹ平面の中心点に対して点対称となるように配置されている。正極バスバー４及び負極バスバー５の傾斜縁４ａ，５ａ同士は、互いに平行となるように向き合っている。このため、正極バスバー４と負極バスバー５との間の距離は、蓄電セル７の積層方向に沿って全体的に等しくなっている。
【００５０】
各正極集電板１５の正極タブ１５ａの幅は、図８に示されるように、正極バスバー４の形状に応じて、蓄電セル７の積層方向に沿って異なっている。具体的には、各正極集電板１５の正極タブ１５ａの幅は、正極取出端子１８に近づくにつれて徐々に大きくなっている。また、各負極集電板１６の負極タブ１６ａの幅は、図８に示されるように、負極バスバー５の形状に応じて、蓄電セル７の積層方向に沿って異なっている。具体的には、各負極集電板１６の負極タブ１６ａの幅は、負極取出端子１９に近づくにつれて徐々に大きくなっている。
【００５１】
本実施形態においても、正極バスバー４の断面積は蓄電セル７の積層方向に沿って正極取出端子１８に近づくにつれて大きくなっており、負極バスバー５の断面積は蓄電セル７の積層方向に沿って負極取出端子１９に近づくにつれて大きくなっているので、上述したように、正極バスバー４及び負極バスバー５の材料コストを削減することができると共に、正極バスバー４及び負極バスバー５を軽量化することができる。これにより、蓄電装置１の低コスト化及び軽量化を図ることができる。
【００５２】
また、本実施形態では、正極バスバー４の断面積は、セルスタック２における蓄電セル７の積層方向の他端側から一端側に向かって大きくなっており、負極バスバー５の断面積は、セルスタック２における蓄電セル７の積層方向の一端側から他端側に向かって大きくなっている。よって、正極バスバー４及び負極バスバー５は、各断面積が蓄電セル７の積層方向の反対側に向かって大きくなるように配置されることになる。このため、セルスタック２に対して蓄電セル７の高さ方向の同じ側において、正極バスバー４及び負極バスバー５を面積効率良く配置することができる。従って、例えばセルスタック２における正極バスバー４及び負極バスバー５の配置面積が限られていても、正極バスバー４及び負極バスバー５を配置することができる。これにより、蓄電装置１の幅方向の寸法を小さくし、蓄電装置１の更なる小型化を図ることができる。また、正極バスバー４と負極バスバー５との間の距離を十分に確保することで、正極バスバー４と負極バスバー５との絶縁性を高めることができる。
【００５３】
また、本実施形態では、正極バスバー４及び負極バスバー５の傾斜縁４ａ，５ａ同士は、互いに平行となるように向き合っている。よって、正極バスバー４と負極バスバー５との距離が蓄電セル７の積層方向に沿って一定になる。従って、正極バスバー４及び負極バスバー５をより面積効率良く配置することができる。
【００５４】
図９は、図１に示された蓄電装置の変形例を示す概略斜視図である。図９において、本変形例の蓄電装置１は、正極バスバー４と負極バスバー５との間に配置されたカバー部材６を備えている。従って、正極バスバー４及び負極バスバー５は、セルスタック２の頂面において、カバー部材６を挟むように蓄電セル７の幅方向に並んで配置されていることとなる。
【００５５】
カバー部材６は、蓄電セル７の高さ方向への位置ずれを規制する拘束部材である。カバー部材６は、例えば金属又は合金によって形成されている。カバー部材６は、蓄電セル７の積層方向に延在する本体部６ａと、この本体部６ａの長手方向の両端部にそれぞれ設けられた１対の爪部６ｂとを有している。爪部６ｂは、締結部材２０によりエンドプレート３に固定されている。これにより、カバー部材６がセルスタック２に対して係止されている。
【００５６】
なお、本発明は、上記実施形態には限定されない。例えば上記の第１実施形態では、各正極集電板１５の正極タブ１５ａ及び各負極集電板１６の負極タブ１６ａの幅は、蓄電セル７の積層方向に沿って一定となっているが、特にその形態には限られず、正極タブ１５ａ及び負極タブ１６ａの幅は、上記の第２実施形態と同様に、正極バスバー４及び負極バスバー５の形状に応じて蓄電セル７の積層方向に沿って異なっていてもよい。
【００５７】
また、上記の第２実施形態では、各正極集電板１５の正極タブ１５ａの幅は、正極バスバー４の形状に応じて蓄電セル７の積層方向に沿って異なっており、各負極集電板１６の負極タブ１６ａの幅は、負極バスバー５の形状に応じて蓄電セル７の積層方向に沿って異なっているが、特にその形態には限られず、正極バスバー４と負極バスバー５との間の距離によっては、正極タブ１５ａ及び負極タブ１６ａの幅は、上記の第１実施形態と同様に、蓄電セル７の積層方向に沿って一定であってもよい。
【００５８】
また、上記の実施形態では、正極バスバー４及び負極バスバー５の形状は、平面視で直角三角形または略直角三角形であるが、特にその形態には限られない。正極バスバー４の断面積が蓄電セル７の積層方向に沿って正極取出端子１８に近づくにつれて徐々に大きくなり、負極バスバー５の断面積が蓄電セル７の積層方向に沿って負極取出端子１９に近づくにつれて徐々に大きくなるのであれば、正極バスバー４及び負極バスバー５の形状としては、例えば二等辺三角形、略二等辺三角形、等脚台形または２つの頂点が直角で且つ対向する２辺が平行な台形等であってもよい。
【００５９】
また、上記の実施形態では、正極バスバー４の断面積が蓄電セル７の積層方向に沿って正極取出端子１８に近づくにつれて連続的に大きくなり、負極バスバー５の断面積が蓄電セル７の積層方向に沿って負極取出端子１９に近づくにつれて連続的に大きくなっているが、特にその形態には限られず、正極バスバー４の断面積が蓄電セル７の積層方向に沿って正極取出端子１８に近づくにつれて段階的に大きくなり、負極バスバー５の断面積が蓄電セル７の積層方向に沿って負極取出端子１９に近づくにつれて段階的に大きくなっていてもよい。
【００６０】
また、上記の実施形態では、正極バスバー４の幅が蓄電セル７の積層方向に沿って正極取出端子１８に近づくにつれて大きくなり、負極バスバー５の幅が蓄電セル７の積層方向に沿って負極取出端子１９に近づくにつれて大きくなっているが、特にその形態には限られず、正極バスバー４の厚さが蓄電セル７の積層方向に沿って正極取出端子１８に近づくにつれて大きくなり、負極バスバー５の厚さが蓄電セル７の積層方向に沿って負極取出端子１９に近づくにつれて大きくなっていてもよい。この場合でも、正極バスバー４の断面積が蓄電セル７の積層方向に沿って正極取出端子１８に近づくにつれて大きくなり、負極バスバー５の断面積が蓄電セル７の積層方向に沿って負極取出端子１９に近づくにつれて大きくなる。
【００６１】
また、上記の実施形態では、１つの蓄電装置１に正極バスバー４及び負極バスバー５が１つずつ設けられているが、特にその形態には限られず、１つの蓄電装置１に設けられる正極バスバー４及び負極バスバー５の数は複数であってもよい。
【００６２】
また、上記の実施形態では、正極バスバー４及び負極バスバー５は、セルスタック２に対して蓄電セル７の高さ方向の同じ側において蓄電セル７の幅方向に並んで配置されているが、特にその形態には限られず、正極バスバー４は、セルスタック２に対して蓄電セル７の高さ方向の一方側に配置され、負極バスバー５は、セルスタック２に対して蓄電セル７の高さ方向の他方側に配置されていてもよい。
【符号の説明】
【００６３】
１…蓄電装置、２…セルスタック、４…正極バスバー、４ａ…傾斜縁、５…負極バスバー、５ａ…傾斜縁、７…蓄電セル、１０…バイポーラ電極（電極）、１５…正極集電板、１６…負極集電板、１８…正極取出端子、１９…負極取出端子。
【図１】
2019149359.tif 000003
【図２】
2019149359.tif 000004
【図３】
2019149359.tif 000005
【図４】
2019149359.tif 000006
【図５】
2019149359.tif 000007
【図６】
2019149359.tif 000008
【図７】
2019149359.tif 000009
【図８】
2019149359.tif 000010
【図９】
2019149359.tif 000011